(57)【要約】【課題】充填材が硬化するまでの間、安価かつ簡便に、定着鉄筋を懸垂支持することが可能な上向き施工方法、及びこの施工方法により構築される定着構造を提供すること。【解決手段】コンクリート構造物に上向きの挿入孔を削孔する削孔工程、前記挿入孔の天端に磁石を固定する磁石固定工程、前記挿入孔に充填材を注入する注入工程、前記挿入孔にあと施工定着鉄筋を挿入し、前記あと施工定着鉄筋を前記磁石の磁力により懸垂支持する挿入工程、をこの順で有するあと施工定着鉄筋の上向き施工方法、及びこの上向き施工方法により構築される定着構造。【選択図】図８
2019090213.tif 000002
【特許請求の範囲】
【請求項１】
コンクリート構造物に上向きの挿入孔を削孔する削孔工程、
前記挿入孔の天端に磁石を固定する磁石固定工程、
前記挿入孔に充填材を注入する注入工程、
前記挿入孔にあと施工定着鉄筋を挿入し、前記あと施工定着鉄筋を前記磁石の磁力により懸垂支持する挿入工程、
をこの順で有することを特徴とするあと施工定着鉄筋の上向き施工方法。
【請求項２】
前記注入工程と前記挿入工程との間に、
前記挿入孔の開口部に蓋部材を設置する蓋設置工程、
を有することを特徴とする請求項１に記載の上向き施工方法。
【請求項３】
コンクリート構造物に上向きに削孔された挿入孔と、
前記挿入孔の天端に固定された磁石と、
前記挿入孔に挿入され、前記磁石により吸着されているあと施工定着鉄筋と、
前記挿入孔と前記あと施工定着鉄筋との間に充填され硬化している充填材と、
を有することを特徴とする定着構造。
【発明の詳細な説明】
【技術分野】
【０００１】
本発明は、あと施工定着鉄筋の上向き施工方法、およびこの上向き施工方法により構築される定着構造に関する。
【背景技術】
【０００２】
建築構造の増改築、補修・補強の分野において、鉄筋コンクリート製の建築構造物の構造躯体に、新たな構造躯体を増築することが行われている。この場合、既存の構造躯体と新たな構造躯体を接合して、相互に応力を伝達する手段として、「あと施工定着鉄筋」が広く用いられている。あと施工定着鉄筋（以下、定着鉄筋ともいう）を用いた工法として、例えば、特許文献１、２に記載されている工法が、既に実用化されている。
【０００３】
定着鉄筋は、既存の構造躯体に削孔して形成した挿入孔に挿入され、充填材により定着される。そのため、定着鉄筋を、下向きや横向きに設ける場合は、施工に特に問題はないが、上向きに設ける場合は、充填材が硬化するまでの間、定着鉄筋が重力により落下しないよう、確実に支持しておく必要がある。特許文献３には、上向き施工の際に、定着鉄筋を孔入口側で支持し、かつ、孔入口からの充填材の漏れ出しを防止することができる定着治具が提案されている。
【０００４】
しかしながら、特許文献３に提案されている定着治具は、以下のような問題点がある。
１．多くの部品から構成されており構造が複雑で高価である。
２．定着鉄筋の鉄筋径と比較して治具のサイズが大きいため、隣り合う定着鉄筋の間隔が狭い場合や、狭隘部への施工が困難である。
３．充填材が硬化するまでの間、そのまま残置しておく必要があり、同時に多くの定着鉄筋を施工するには、多くの定着治具を用意しなければならない。
４．定着鉄筋を通すための開口の大きさが固定されており、鉄筋の径ごとに異なる大きさの治具を用意しておく必要がある（一般に、定着鉄筋は、Ｄ１９、Ｄ２２、Ｄ２５、Ｄ２９、Ｄ３２が用いられるため、最低でも５種類の大きさの治具が必要となる）。
５．施工完了後には、治具を構成する各部品に硬化した充填材が強固に付着してしまい、使用後に入念な清掃が必要となる。
そのため、あと施工定着鉄筋を、安価かつ簡便に上向き施工する方法が求められている。
【先行技術文献】
【特許文献】
【０００５】
【特許文献１】特開２０１７−５３１３０号公報
【特許文献２】特開２０１６−１３０３８８号公報
【特許文献３】特許第５７１９２７３号公報
【発明の概要】
【発明が解決しようとする課題】
【０００６】
本発明は、充填材が硬化するまでの間、安価かつ簡便に、定着鉄筋を懸垂支持することが可能な上向き施工方法、及びこの施工方法により構築される定着構造を提供することを目的とする。
【課題を解決するための手段】
【０００７】
１．コンクリート構造物に上向きの挿入孔を削孔する削孔工程、
前記挿入孔の天端に磁石を固定する磁石固定工程、
前記挿入孔に充填材を注入する注入工程、
前記挿入孔にあと施工定着鉄筋を挿入し、前記あと施工定着鉄筋を前記磁石の磁力により懸垂支持する挿入工程、
をこの順で有することを特徴とするあと施工定着鉄筋の上向き施工方法。
２．前記注入工程と前記挿入工程との間に、
前記挿入孔の開口部に蓋部材を設置する蓋設置工程、
を有することを特徴とする１．に記載の上向き施工方法。
３．コンクリート構造物に上向きに削孔された挿入孔と、
前記挿入孔の天端に固定された磁石と、
前記挿入孔に挿入され、前記磁石により吸着されているあと施工定着鉄筋と、
前記挿入孔と前記あと施工定着鉄筋との間に充填され硬化している充填材と、
を有することを特徴とする定着構造。
【発明の効果】
【０００８】
本発明の上向き施工方法は、挿入口の開口部周辺に定着鉄筋を支持する治具等が不要なため、施工が容易であり、工期を短くすることができる。本発明の上向き施工方法は、開口部周辺に治具等を設置するためのスペースが不要なため、隣り合う定着鉄筋の間隔が狭い場合や狭隘部への施工も可能である。本発明の上向き施工方法は、定着鉄筋を懸垂支持できるだけの磁力を備えた磁石を用いればよいため、強力な磁石を用いることにより、定着鉄筋径が異なる場合であっても同一形状の磁石を用いることができ、管理が容易である。
挿入孔の開口部に円環状の蓋部材を設置することにより、未硬化の充填材が重力により垂れて漏れ出し、定着鉄筋の定着長さが短くなり定着強度が低下することを防ぐことができる。
【図面の簡単な説明】
【０００９】
【図１】本発明の一実施態様である上向き施工方法の工程を説明する図。
【図２】本発明の一実施態様である上向き施工方法の工程を説明する図。
【図３】本発明の一実施態様である上向き施工方法の工程を説明する図。
【図４】本発明の一実施態様である上向き施工方法の工程を説明する図。
【図５】蓋部材の一実施態様を示す図。
【図６】蓋部材の他の実施態様を示す図。
【図７】本発明の一実施態様である上向き施工方法の工程を説明する図。
【図８】本発明の一実施態様である上向き施工方法により構築される定着構造の部分断面図。
【発明を実施するための形態】
【００１０】
＜上向き施工方法＞
本発明は、以下の工程をこの順で有するあと施工定着鉄筋の上向き施工方法に関する。
１．コンクリート構造物に上向きの挿入孔を削孔する削孔工程。
２．前記挿入孔の天端に磁石を固定する磁石固定工程。
３．前記挿入孔に充填材を注入する注入工程。
４．前記挿入孔にあと施工定着鉄筋を挿入し、前記あと施工定着鉄筋を前記磁石の磁力により懸垂支持する挿入工程。
以下、本発明の上向き施工方法の一実施態様を、その工程に沿って図を用いて具体的に説明する。
【００１１】
「削孔工程」
既存コンクリート構造物の躯体の下面を、上方向に削孔して上向きの挿入孔１を形成する（図１）。
「磁石固定工程」
挿入孔１の天端に、磁石２を固定する（図２）。
磁石は、後述する挿入工程において挿入口に挿入される定着鉄筋を磁力により懸垂支持することが可能なものであれば特に制限されず、一般的なフェライト磁石のほかに、ネオジウム磁石、サマリウムコバルト磁石、アルニコ磁石、プラセオジム磁石等を用いることができる。安価で磁力が強いことから、ネオジウム磁石を好適に用いることができる。
図２に示す一実施態様では、磁石２は中央にネジ孔を有し、コンクリート用ビスにより挿入孔の天端に固定されている。磁石２は、挿入孔の天端に固定されるが、一般的に流通しているロングビットホルダー等を用いることにより、容易にビス留めすることができる。なお、本発明において、磁石の固定方法は、本発明の上向き施工方法において定着鉄筋を磁力で懸垂支持した際に、磁石が落下しない方法であればよく、ビス留めに限定されず、例えば、接着剤、両面テープ等により固定することもできる。定着鉄筋の径が太い等、その重量が重い場合は、ビス留めで固定することが好ましい。
【００１２】
「注入工程」
挿入孔１の内部にポンプ等により充填材３を注入する（図３）。
充填材の種類は、有機系の接着剤や無機系のモルタル、コンクリートなど公知の充填材を適宜選択して使用することができる。
【００１３】
「蓋設置工程」
本発明の上向き施工方法において、注入工程と下記挿入工程との間に、挿入孔１の開口部に蓋部材４を設置する蓋設置工程を行うこともできる（図４）。
蓋部材は、開口部の少なくとも一部を覆い、未硬化の充填材が重力により垂れて漏れ出すことを防止するものである。蓋部材は、挿入孔の開口部周縁を塞ぐように、ボルトとナットあるいは両面テープ等により固定される。
【００１４】
図５に、この一実施態様で使用した蓋部材４を示す。図５に示す蓋部材４は、ゴム等の弾性部材からなり、中央に定着鉄筋を挿通するための複数本の切込み４１を有する。この蓋部材４は、挿入孔１の開口部に両面テープ等で固定される。なお、図５に示す蓋部材は一例であり、蓋部材としては、挿入孔の少なくとも一部を覆い、かつ、定着鉄筋を挿入孔に挿通することができるものであれば特に制限することなく使用することができる。例えば、図６に示す、金属・木材等の剛性部材からなり、定着鉄筋を挿通する挿通口６１、充填材排出口６２、ボルト穴６３を備える蓋部材６、図５に示す蓋部材に充填材排出口を設けたもの、上記特許文献２に記載されている円環状の底部と、この底部の周縁に沿って立設された壁部とを備える型枠を、蓋部材として使用することもできる。
【００１５】
「挿入工程」
挿入孔１にあと施工定着鉄筋５を挿入し、あと施工定着鉄筋５を磁石２の磁力により懸垂支持する（図７）。
定着鉄筋としては、先端に定着板を備えるポストヘッドバー、表面に凹凸を有する異形鉄筋等、コンクリート構造物の補強に用いる公知の埋設材を使用することができる。
本発明の上向き施工方法は、定着鉄筋が磁力により懸垂支持されているため、充填材が硬化するまでの間、定着鉄筋を治具等を用いて支える必要がない。
【００１６】
定着鉄筋の挿入により、充填材が押し出される。蓋部材が切込みや充填材排出口を備える場合は、余分な充填材が切込みや充填材排出口から排出され、充填材の圧力により蓋部材が剥離することを防ぐことができる。なお、定着鉄筋を磁力で懸垂支持した後に、未硬化の充填材が充填材排出口から排出されることを防ぐために、定着鉄筋挿入後には、粘着テープ、ゴム栓等で切込み間の隙間や充填材排出口を塞ぐことが好ましい。
【００１７】
＜定着構造＞
充填材硬化後に、本発明の一実施態様である定着構造が得られる。図８に、本発明の一実施態様である定着構造の部分断面図を示す。
一実施態様である定着構造は、コンクリート構造物に上向きに削孔された挿入孔１と、挿入孔の天端に固定された磁石２と、挿入孔に挿入され、磁石により吸着されているあと施工定着鉄筋５と、挿入孔１とあと施工定着鉄筋５との間に充填され硬化した充填材３とを有する。
なお、本発明の定着構造において、蓋部材は、充填材硬化後に取り除いてもよく、そのまま埋め殺してもよい。
【符号の説明】
【００１８】
１        挿入孔
２        磁石
３        充填材
４        蓋部材
４１      切込み
５        あと施工定着鉄筋
６        蓋部材
６１      挿通口
６２      充填材排出口
６３      ボルト穴
【図１】
2019090213.tif 000003
【図２】
2019090213.tif 000004
【図３】
2019090213.tif 000005
【図４】
2019090213.tif 000006
【図５】
2019090213.tif 000007
【図６】
2019090213.tif 000008
【図７】
2019090213.tif 000009
【図８】
2019090213.tif 000010